(57)【要約】【課題】内蔵された機器や機構に関する検査・調整を簡易に行える交換レンズの技術を提供する。【解決手段】交換レンズは、内部の特定部位(例えばモータ)を対象とした検査・調整の処理を行う検査・調整モードと、交換レンズが装着される撮像装置との協調動作を処理する製品モードとを選択的に設定することが可能で、例えばフォーカスレンズの位置を検出して位置検出信号を出力するエンコーダ１７を備えている。このエンコーダ１７では、位置検出信号に関して出力が可能な信号値の範囲内に、製品モードが設定される際には使用しない不使用の信号値(エンコーダ板１７１の範囲Ａに係る信号値)が設けられており、この不使用の信号値がエンコーダ１７から出力された場合には検査・調整モードが設定される。これにより、交換レンズに内蔵された機器や機構に関する検査・調整を簡易に行える。【選択図】図３
2011002730.tif 000002
【特許請求の範囲】
【請求項１】
所定の移動機構により所定の方向に沿った移動が可能な特定のレンズと、
前記特定のレンズに係る位置を検出して位置検出信号を出力する位置検出手段と、
交換レンズ内の特定部位を対象とした検査および／または調整に係る第１処理を行い当該第１処理の結果を所定の出力手段に出力させる第１処理モードと、交換レンズが装着される撮像装置との協調動作に係る第２処理を行う第２処理モードとを選択的に設定する制御手段と、
を備えており、
前記位置検出手段では、前記位置検出信号に関して出力が可能な信号値の範囲内に、前記第２処理モードが設定される際には使用しない不使用の信号値が設けられており、
前記制御手段は、
前記位置検出手段から前記不使用の信号値が出力された場合には前記第１処理モードに設定する設定制御手段、
を有する交換レンズ。
【請求項２】
前記交換レンズ内に設けられた所定のレンズを前記所定の方向に沿って駆動するアクチュエータ、
をさらに備え、
前記特定部位には前記アクチュエータが含まれる請求項１記載の交換レンズ。
【請求項３】
操作入力に応じて前記特定のレンズを前記所定の方向に沿って移動させる操作入力手段、
をさらに備え、
前記第１処理モードでは、前記第１処理に係る処理内容が異なった複数の処理項目が設けられるとともに、前記操作入力手段に対する操作入力に応じて前記複数の処理項目から１の処理項目が選択される請求項１記載の交換レンズ。
【請求項４】
前記第１処理モードでは、前記第１処理の結果が所定の表示手段に表示される請求項１記載の交換レンズ。
【請求項５】
所定の位置検出手段を用い、所定の移動機構により所定の方向に沿った移動が可能な特定のレンズに係る位置を検出して位置検出信号を出力する位置検出工程と、
交換レンズ内の特定部位を対象とした検査および／または調整に係る第１処理を行い当該第１処理の結果を所定の出力手段に出力させる第１処理モードと、交換レンズが装着される撮像装置との協調動作に係る第２処理を行う第２処理モードとを選択的に設定する制御工程と、
を備えており、
前記位置検出手段では、前記位置検出信号に関して出力が可能な信号値の範囲内に、前記第２処理モードが設定される際には使用しない不使用の信号値が設けられており、
前記制御工程は、
前記位置検出手段から前記不使用の信号値が出力された場合には前記第１処理モードに設定する設定制御工程、
を有する交換レンズの制御方法。
【発明の詳細な説明】
【技術分野】
【０００１】
本発明は、所定の移動機構により所定の方向に沿った移動が可能な特定のレンズを備えた交換レンズの技術に関する。
【背景技術】
【０００２】
一眼レフタイプのカメラシステムでは、一般にカメラボディ(カメラ本体部)に対する交換レンズ(撮影レンズ)の着脱が可能となっているが、この交換レンズの機能を健全に維持するには、その内部の機器や機構の検査・調整が不可欠である。特に、近年ではアクチュエータを搭載した交換レンズが増加しており、その検査・調整の必要性が高まっている。
【０００３】
以上のような交換レンズの検査・調整に関しては、例えば特許文献１に記載の技術のように、交換レンズに専用の検査・調整用機材を接続し、この機材を用いて交換レンズを制御し必要な検査・調整を実施するのが一般的である。
【先行技術文献】
【特許文献】
【０００４】
【特許文献１】特開平１１−３４４７５６号公報
【発明の概要】
【発明が解決しようとする課題】
【０００５】
しかしながら、上記特許文献１の技術では、交換レンズに専用の検査・調整用機材を接続しなければならないため、この専用の機材が必要となる。これでは、交換レンズに内蔵された機器や機構に関する検査・調整を簡易に実施できない。
【０００６】
本発明は、上記課題に鑑みてなされたものであり、内蔵された機器や機構に関する検査・調整を簡易に行える交換レンズの技術を提供することを目的とする。
【課題を解決するための手段】
【０００７】
本発明の１つの側面は、交換レンズであって、所定の移動機構により所定の方向に沿った移動が可能な特定のレンズと、前記特定のレンズに係る位置を検出して位置検出信号を出力する位置検出手段と、交換レンズ内の特定部位を対象とした検査および／または調整の処理を行い当該処理の結果を所定の出力手段に出力させる第１処理モードと、交換レンズが装着される撮像装置との協調動作を処理する第２処理モードとの設定が可能なモード設定手段とを備えており、前記位置検出手段では、前記位置検出信号に関して出力が可能な信号値の範囲内に、前記第２処理モードが設定される際には使用しない不使用の信号値が定められており、前記モード設定手段は、前記位置検出手段から前記不使用の信号値が出力された場合には前記第１処理モードに設定する設定制御手段を有する。
【発明の効果】
【０００８】
本発明によれば、特定のレンズに係る位置を検出して位置検出信号を出力する位置検出手段では、位置検出信号に関して出力が可能な信号値の範囲内に、交換レンズが装着される撮像装置との協調動作に係る第２処理を行う第２処理モードが設定される際には使用しない不使用の信号値が設けられており、この不使用の信号値が位置検出手段から出力された場合には、交換レンズ内の特定部位を対象とした検査および／または調整に係る第１処理を行い当該第１処理の結果を所定の出力手段に出力させる第１処理モードに設定する。これにより、交換レンズに内蔵された機器や機構に関する検査・調整を簡易に行える。
【図面の簡単な説明】
【０００９】
【図１】本発明の実施形態に係る交換レンズを備えたカメラシステムの外観構成を示す斜視図である。
【図２】交換レンズを備えたカメラシステムの機能構成を示す図である。
【図３】エンコーダの構成を説明するための概念図である。
【図４】交換レンズに関しての検査・調整を行うための構成を示す図である。
【図５】交換レンズの基本的な動作を示すフローチャートである。
【図６】検査・調整モードでの処理を示すフローチャートである。
【図７】本発明の変形例に係る交換レンズを説明するための図である。
【発明を実施するための形態】
【００１０】
＜実施形態＞
［交換レンズの要部構成］
図１は、本発明の実施形態に係る交換レンズ１を備えたカメラシステム１００の外観構成を示す斜視図である。
【００１１】
カメラシステム１００は、例えば一眼レフレックス型のデジタルスチルカメラとして構成されており、交換レンズ１がカメラ本体部(カメラボディ)２に着脱自在となっている。このカメラ本体部２は、正面略中央に交換レンズ１が装着されるマウント部２０と、マウント部２０の右横に配置されたレンズ交換ボタン２１と、ユーザが把持するグリップ部２２の上面に配置されたシャッターボタン２３とを備えている。
【００１２】
交換レンズ(交換レンズユニット)１は、被写体からの光(光像)を取り込むレンズ窓として機能するとともに、当該被写体光をカメラ本体部２の内部に配設された撮像素子に導くための撮影光学系として構成されている。この交換レンズ１は、その後部にカメラ本体部２側のマウント部２０に連結されるマウント部１０を備え、マウント部２０に装着された交換レンズ１は、レンズ交換ボタン２１を押下操作することによりカメラ本体部２から取り外すことが可能である。
【００１３】
交換レンズ１は、その光軸に沿って直列的に配置された複数のレンズからなるレンズ群を備えている。このレンズ群には、交換レンズ１内の機構部１５(図２参照)に設けられた移動機構により光軸方向に沿った移動が可能なフォーカスレンズ１４１(図２参照)やズームレンズ１４２(図２参照)などが含まれる。ここで、フォーカスレンズ１４１は焦点の調節を行うためのレンズとして構成されるとともに、ズームレンズ１４２は変倍を行うためのレンズとして構成され、それぞれ光軸方向に駆動されることで変倍や焦点調節が行われる。
【００１４】
また、交換レンズ１には、その鏡胴の外周面に沿って回転可能な操作環として構成されたフォーカスリング１１およびズームリング１２が設けられている。これらフォーカスリング１１およびズームリング１２は、ユーザの回転操作(操作入力)に応じてフォーカスレンズ１４１(図２参照)やズームレンズ１４２(図２参照)を交換レンズ１の光軸方向に沿って移動させる操作入力部材として機能し、ユーザによるマニュアル操作またはアクチュエータ１６(図２参照)によるオート操作により、その回転方向及び回転量に応じてフォーカスレンズ１４１やズームレンズ１４２が光軸方向に移動される。
【００１５】
また、交換レンズ１は、例えば液晶ディスプレイとして構成された表示部１３を備えている。この表示部１３では、例えば交換レンズ１内に設けられた絞り(絞り機構)の状態や、ＡＦ（オートフォーカス）とＭＦ（マニュアルフォーカス）との切替え情報が表示される。
【００１６】
［交換レンズ１の機構構成］
図２は、交換レンズ１を備えたカメラシステム１００の機能構成を示す図である。ここで、図１と同一の部位等については、同一の符号を付している。
【００１７】
交換レンズ１は、上述のフォーカスレンズ１４１やズームレンズ１４２を含むレンズ群および絞りを有した光学系１４と、このレンズ群などを駆動するためのメカニカルな機構部１５とを備えている。また、交換レンズ１は、機構部１５に保持されるフォーカスレンズ１４１やズームレンズ１４２を光軸方向に沿って駆動するアクチュエータ(例えばモータ)１６と、フォーカスレンズ１４１などのレンズ位置を検出する距離エンコーダ(以下では「エンコーダ」とも略称する)１７と、これらのアクチュエータ１６およびエンコーダ１７や表示部１３に電気的に接続する制御部１８とを備えている。
【００１８】
エンコーダ１７は、機構部１５におけるフォーカスレンズ１４１やズームレンズ１４２の位置を検出して位置検出信号を出力する位置検出センサである。このエンコーダ１７の構成について、図３を参照して説明する。
【００１９】
図３は、エンコーダ１７の構成を説明するための概念図である。
【００２０】
エンコーダ１７は、交換レンズ１の光軸方向に複数個のコードパターンが一定のピッチで形成されたエンコーダ板１７１と、このエンコーダ板１７１に摺接しながらフォーカスレンズ１４１やズームレンズ１４２に連動して交換レンズ１の光軸に沿った方向Ｄｒに移動するエンコーダブラシ１７２(破線部)とを備えている。このような構成のエンコーダ１７により、フォーカスレンズ１４１やズームレンズ１４２の適切な位置検出が可能となる。なお、図３では、エンコーダ１７においてエンコーダブラシ１７２が接触するエンコーダ板１７１の接触箇所から出力される信号値を「０」、「１」のビット表現で示している。また、図３では、図示の便宜上、実際のエンコーダより低分解能となる４ビットの分解能を有したエンコーダ１７を表している。
【００２１】
制御部１８は、例えばマイクロコンピュータとして働くＣＰＵ、制御プログラムを記憶するＲＯＭやＲＡＭを備え、交換レンズ１の各部を統括的に制御する部位である。また、制御部１８は、カメラ本体部２のメイン制御部２との間で通信を行う通信機能と有しており、例えばレンズ群の焦点距離、射出瞳位置、絞り値、合焦距離及び周辺光量状態等の状態情報データをメイン制御部２４に送信する一方、メイン制御部２４から例えばフォーカスレンズ１４１の駆動量データを受信する。
【００２２】
また、制御部１８は、例えばＲＯＭに格納される検査・調整用の制御プログラムを実行することにより、交換レンズ１自身で機構部１５やアクチュエータ１６の検査・調整を行うことが可能である。すなわち、制御部１８により、交換レンズ１の内部機器や機構についての検査・調整を行うモード（以下では「検査・調整モード」ともいう）と、カメラ本体部２に装着されて交換レンズとして、その製品本来の機能を発揮するモード（以下では「製品モード」ともいう）とが実行される。換言すれば、制御部１８を用いて、交換レンズ１内の特定部位(例えば機構部１５やアクチュエータ１６)を対象とした検査・調整(検査および／または調整)に係る処理(第１処理)を行い当該処理の結果を表示部１３に表示させる検査・調整モード(第１処理モード)と、交換レンズ１が装着されるカメラ本体部(撮像装置)２との協調動作に係る処理(第２処理)を行う製品モード(第２処理モード)とを選択的に設定することが可能である。次に、交換レンズ１に関しての検査・調整について詳しく説明する。
【００２３】
［交換レンズ１に関しての検査・調整について］
図４は、交換レンズ１に関しての検査・調整を行うための構成を示す図である。
【００２４】
交換レンズ１の内部機器や機構に対する検査・調整を行う構成としては、図２に示すカメラ本体部２の代わりに電源装置３を交換レンズ１に接続することが必要となる。
【００２５】
電源装置３は、例えば定電圧機能を有した簡易な電源として構成されており、マウント部１０に設けられた交換レンズ１の電源供給用端子とケーブルＣＢを介して電気的に接続される。
【００２６】
この電源装置３から電力供給される交換レンズ１では、特定の制御プログラムが実行されることにより、検査・調整モードにおいて交換レンズ１の内部機器に関する各種の検査・調整を自身で行えるようになっている。この検査・調整項目としては、例えば機構部１５の検査や、アクチュエータ１６の駆動検査および調整、検出系(例えばＰＩ)の調整などが挙げられる。以下では、交換レンズ１に関しての検査・調整項目として、その処理内容が異なった５つの検査・調整項目が設定されているものとし、フォーカスレンズの位置を検出するエンコーダ１７を用いて、検査・調整モードに設定する方法と５つの検査・調整項目から所望の項目を選択する方法とについて説明する。
【００２７】
(１)検査・調整モードを設定する方法について
エンコーダ１７は、図３に示すようにエンコーダ板１７１に摺接するエンコーダブラシ１７２が交換レンズ１の光軸方向Ｄｒに沿って移動可能な構成を有しており、交換レンズ１を製品モードで使用する際には、例えばネジ止めされたストッパによって左端の範囲Ａにエンコーダブラシ１７２が進入できないようにされている。換言すれば、製品モードでの使用時には、範囲Ａを除く範囲Ｂにおいてエンコーダ板１７１に対するエンコーダブラシ１７２の位置検出、つまりフォーカスレンズ１４１の位置検出が可能である。
【００２８】
そして、交換レンズ１では、製品モードにおいて使用されないエンコーダ板１７１の範囲Ａを活用し、この範囲Ａにエンコーダブラシ１７２が位置する場合に検査・調整モードの設定を行うようにする。すなわち、エンコーダ１７では、位置検出信号に関して出力が可能な信号値の範囲内(信号値の上限値から下限値までの間)に製品モードが設定される際には使用しない不使用の信号値(エンコーダ板１７１の範囲Ａでの信号値)が設けられており、この不使用の信号値がエンコーダ１７から出力された場合には制御部１８で検査・調整モードに設定することとなる。なお、エンコーダブラシ１７２をエンコーダ板１７１の範囲Ａに移動させるには、例えば製品モード時に移動を制限しているストッパのネジ止めを緩める作業、または取り外す作業が必要となるが、この作業は、例えば交換レンズ１を製造したメーカ側の作業者によって実施される。
【００２９】
このようにエンコーダブラシ１７２をエンコーダ板１７１の範囲Ａに移動させれば、検査・調整モードが設定できることとなる。
【００３０】
(２)検査・調整項目を選択する方法について
交換レンズ１では、上述のように５つの検査・調整項目が設けられているが、検査・調整モードが設定された後に、これら５項目から所望の項目を選択する方法について以下で説明する。
【００３１】
検査・調整モードでは、製品モードが設定される際にエンコーダブラシ１７２が移動可能なエンコード板１７１の範囲Ｂにおいて、５つの区間Ｂ１〜Ｂ５に５種類の検査・調整項目を割り付けている。これにより、フォーカスリング１１の回転操作を行えば、作業者は５つの検査・調整項目から所望の項目を選択することが可能となる。このようにフォーカスリング１１に対する操作入力に応じて５つの検査・調整項目(処理項目)から１つの項目が選択されることにより、交換レンズ１の操作部材(フォーカスリング１１)を利用して作業者は必要な検査・調整項目を簡易に指定できることとなる。
【００３２】
以上のような構成の交換レンズ１における具体的な動作について、以下で説明する。
【００３３】
［交換レンズ１の動作］
図５は、交換レンズ１の基本的な動作を示すフローチャートである。この動作については、制御部１８によって実行される。
【００３４】
図２および図４に示すようにカメラ本体部２や電源装置３が接続されることで、交換レンズ１への電源供給が開始されると初期化処理が行われる(ステップＳＴ１)。この初期化処理では、例えば交換レンズ１における制御部１８のＲＡＭやポートの初期化が実施される。
【００３５】
ステップＳＴ２では、エンコーダ１７から情報を読み出す。すなわち、エンコーダブラシ１７２の位置情報、つまりエンコーダブラシ１７２が図３に示すエンコーダ板１７１の範囲Ａまたは範囲Ｂのいずれに位置しているかを検出する。
【００３６】
ステップＳＴ３では、エンコーダブラシ１７２がエンコーダ板１７１の範囲Ａ(図３)に位置しているかを判定する。ここで、範囲(区間)Ａに位置している場合には、ステップＳＴ４に進み、範囲Ａでなく範囲Ｂに位置している場合には、ステップＳＴ５に進む。
【００３７】
ステップＳＴ４では、検査・調整モードの処理を行う(後で詳述)。
【００３８】
ステップＳＴ５では、製品モードの処理を行う。これにより、カメラ本体部２に装着された交換レンズ１において、その本来の機能が発揮される。
【００３９】
図６は、上記のステップＳＴ４に対応した動作、つまり検査・調整モードの処理を示すフローチャートである。なお、検査・調整モードでは、５種類の検査・調整項目（１）〜（５）が設定されているものとする。
【００４０】
ステップＳＴ１１では、エンコーダ１７から情報を読み出す。すなわち、エンコーダブラシ１７２の位置情報、つまりエンコーダブラシ１７２が図３に示すエンコーダ板１７１の各区間Ｂ１〜Ｂ１５のうちいずれに位置しているかを検出する。なお、フォーカスリング１１の回転操作を行えば、区間Ｂ１〜Ｂ１５においてエンコーダブラシ１７２の位置を変更することが可能である。
【００４１】
ステップＳＴ１２では、エンコーダブラシ１７２がエンコーダ板１７１の区間Ｂ１（図３）に位置しているかを判定する。ここで、区間Ｂ１に位置している場合には、ステップＳＴ１３に進み、区間Ｂ１に位置していない場合には、ステップＳＴ１４に進む。
【００４２】
ステップＳＴ１３では、５項目のうち最初(１番目)の検査・調整項目(１)を実施する。そして、その検査・調整結果を、例えば結果が良好であるか不良であるかが判別できるように表示部１３に表示する。なお、検査・調整項目(１)の結果が良好である場合には、その旨の表示を表示部１３で行ってから、作業者による次の検査・調整項目(２)の実施を促す表示を表示部１３で行うのが好ましい。
【００４３】
ステップＳＴ１４では、エンコーダブラシ１７２がエンコーダ板１７１の区間Ｂ２（図３）に位置しているかを判定する。ここで、区間Ｂ２に位置している場合には、ステップＳＴ１５に進み、区間Ｂ２に位置していない場合には、ステップＳＴ１６に進む。
【００４４】
ステップＳＴ１５では、５項目のうち２番目の検査・調整項目(２)を実施する。そして、その検査・調整結果を、例えば結果が良好であるか不良であるかが判別できるように表示部１３に表示する。なお、検査・調整項目(２)の結果が良好である場合には、その旨の表示を表示部１３で行ってから、作業者による次の検査・調整項目(３)の実施を促す表示を表示部１３で行うのが好ましい。
【００４５】
ステップＳＴ１６では、エンコーダブラシ１７２がエンコーダ板１７１の区間Ｂ３（図３）に位置しているかを判定する。ここで、区間Ｂ３に位置している場合には、ステップＳＴ１７に進み、区間Ｂ３に位置していない場合には、ステップＳＴ１８に進む。
【００４６】
ステップＳＴ１７では、５項目のうち３番目の検査・調整項目(３)を実施する。そして、その検査・調整結果を、例えば結果が良好であるか不良であるかが判別できるように表示部１３に表示する。なお、検査・調整項目(３)の結果が良好である場合には、その旨の表示を表示部１３で行ってから、作業者による次の検査・調整項目(４)の実施を促す表示を表示部１３で行うのが好ましい。
【００４７】
ステップＳＴ１８では、エンコーダブラシ１７２がエンコーダ板１７１の区間Ｂ４（図３）に位置しているかを判定する。ここで、区間Ｂ４に位置している場合には、ステップＳＴ１９に進み、区間Ｂ４に位置していない場合には、ステップＳＴ２０に進む。
【００４８】
ステップＳＴ１９では、５項目のうち４番目の検査・調整項目(４)を実施する。そして、その検査・調整結果を、例えば結果が良好であるか不良であるかが判別できるように表示部１３に表示する。なお、検査・調整項目(４)の結果が良好である場合には、その旨の表示を表示部１３で行ってから、作業者による次の検査・調整項目(５)の実施を促す表示を表示部１３で行うのが好ましい。
【００４９】
ステップＳＴ２０では、エンコーダブラシ１７２がエンコーダ板１７１の区間Ｂ５（図３）に位置しているかを判定する。ここで、区間Ｂ５に位置している場合には、ステップＳＴ２１に進み、区間Ｂ５に位置していない場合には、ステップＳＴ２２に進む。
【００５０】
ステップＳＴ２１では、５項目のうち最後(５番目)の検査・調整項目(５)を実施する。そして、その検査・調整結果を、例えば結果が良好であるか不良であるかが判別できるように表示部１３に表示する。
【００５１】
ステップＳＴ２２では、エンコーダブラシ１７２がエンコーダ板１７１の区間Ｂ６〜Ｂ１５（図３）に位置しているかを判定する。ここで、区間Ｂ６〜Ｂ１５に位置している場合には、本フローチャートを抜け、区間Ｂ６〜Ｂ１５以外に位置している場合には、ステップＳＴ１１に戻る。
【００５２】
以上のような交換レンズ１の動作により、製品モードが設定される際には使用されないエンコーダ板１７１の範囲Ａにエンコーダブラシ１７２が位置する場合には検査・調整モードを設定し、交換レンズ１内の制御部１８を用いて内部の機器や機構に関して自ら検査・調整を実施する。その結果、従来のように専用の検査・調整用の機材を交換レンズ１に接続することなく、交換レンズ１に関しての検査・調整を簡易に行えることとなる。
【００５３】
また、交換レンズ１においては、検査・調整の対象となる特定部位にアクチュエータ１６が含まれているため、特に検査・調整が必要なアクチュエータ１６の確実な検査等を適切に行える。
【００５４】
＜変形例＞
上記の実施形態においては、図１や図２に示すように表示部１３を備えた交換レンズ１を採用するのは必須でなく、図７に示すように接続端子９０を介して外部の表示器９が装着できる交換レンズ１Ａを採用しても良い。このような構成の交換レンズ１Ａでは、検査・調整モードで得られた処理結果等が表示器９に表示されることとなる。このように処理結果等を表示器９や表示部１３(図２)に表示すれば、作業者が容易に処理結果等を把握できることとなる。
【００５５】
上記の実施形態においては、交換レンズに関しての検査・調整結果を液晶ディスプレイで構成された表示部(出力手段)１３に表示(出力)して作業者に伝えるのは必須でなく、例えば結果が良好の場合に点灯させるＬＥＤ(Light Emitting Diode)と結果が不良の場合に点灯させる赤色のＬＥＤとを設け、これらのＬＥＤ(出力手段)に検査・調整結果を出力することで作業者に伝えるようにしても良い。また、交換レンズに設けたスピーカ(出力手段)から検査・調整結果を音声で出力することで、その結果の良否を作業者に伝えるようにしても良い。
【００５６】
上記の実施形態においては、フォーカスリング１１に連動したフォーカスレンズ１４１の位置検出を行うエンコーダを交換レンズの検査・調整に用いるのは必須でなく、ズームリング１２に連動したズームレンズ１４２の位置検出を行うエンコーダを交換レンズの検査・調整に用いるようにしても良い。
【００５７】
上記の実施形態における交換レンズ１に関しての検査・調整項目については、５項目が設定されるのは必須でなく、４項目以下や６項目以上が設定されても良い。
【００５８】
上記の実施形態においては、製品モードが設定される際には使用されないエンコーダ板１７１の範囲Ａにエンコーダブラシ１７２が位置する場合に検査・調整モードを設定するのは必須でなく、例えばエンコーダ板１７１からエンコーダブラシ１７２が離れてエンコーダ１７から全てＨｉ("１")のビット信号（製品モードが設定される際には使用しない不使用の信号値）が出力される場合に検査・調整モードを設定するようにしても良い。
【００５９】
上記の実施形態においては、交換レンズの検査・調整用にエンコーダを使用するのは必須でなく、リニア型のポテンショメータを使用するようにしても良い。この場合でも、上記のエンコーダと同様に、ポテンショメータの位置検出可能範囲に製品モードが設定される際には使用しない不使用の範囲を設けておき、この不使用の範囲からの出力があった場合に検査・調整モードに設定するようにすれば、交換レンズに関しての検査・調整を簡易に行えることとなる。
【００６０】
上記の実施形態においては、交換レンズ１内にアクチュエータ１６を設置するのは必須でなく、カメラ本体部２内にアクチュエータを設置しカプラなどを介して交換レンズ１内のレンズを駆動するようにしても良い。
【００６１】
上記の実施形態におけるカメラシステムについては、デジタルカメラとして構成されるのは必須でなく、銀塩フィルムを用いるフィルムカメラとして構成されても良い。
【００６２】
本発明は詳細に説明されたが、以上の説明は、すべての局面において、例示であって、この発明がそれに限定されるものではない。例示されていない無数の変形例が、この発明の範囲から外れることなく想定され得るものと解される。
【符号の説明】
【００６３】
１、１Ａ  交換レンズ
２  カメラ本体部
３  電源装置
９  表示器
１０  マウント部
１１  フォーカスリング
１２  ズームリング
１３  表示部
１４  光学系
１５  機構部
１６  アクチュエータ
１７  エンコーダ
１８  制御部
１００  カメラシステム
１４１  フォーカスレンズ
１４２  ズームレンズ
１７１  エンコーダ板
１７２  エンコーダブラシ
【図１】
2011002730.tif 000003
【図２】
2011002730.tif 000004
【図３】
2011002730.tif 000005
【図４】
2011002730.tif 000006
【図５】
2011002730.tif 000007
【図６】
2011002730.tif 000008
【図７】
2011002730.tif 000009